(57)【特許請求の範囲】
【請求項１】
駆動機構を備えた電動式切断具によって切断された材料の量を決定する方法であって、
前記電動式切断具の動作中に前記駆動機構によって消費される電流の変動を検出し、該変動に対応する測定信号を出力する検出ステップと、
前記測定信号から、特定の周波数範囲外にある周波数を有する成分をフィルタリングし、切断操作に特有のパルスを抽出するフィルタリングステップと、
前記パルスを計算して、前記切断された材料の量の尺度を求める計算ステップと、
を備える、方法。
【請求項２】
前記検出ステップが、前記電流の変動を電圧の変動に変換することを特徴とする請求項１に記載の方法。
【請求項３】
前記計算ステップが、前記パルスを計数することを含むことを特徴とする請求項１又は２に記載の方法。
【請求項４】
前記計算ステップが、前記パルスの長さを合計することを含むことを特徴とする請求項１又は２に記載の方法。
【請求項５】
前記計算ステップが、前記パルスを積分することを含むことを特徴とする請求項１又は２に記載の方法。
【請求項６】
前記計算ステップが、所定のしきい値を越えた振幅を有するパルスのみを計算することを特徴とする請求項１〜５のいずれか一項に記載の方法。
【請求項７】
前記電動式切断具が、使用者に洗浄する必要性を警告する指示装置を更に備え、
前記切断された材料の量の尺度が所定のしきい値に達すると前記指示装置を作動させる指示ステップを更に備えることを特徴とする請求項１〜６のいずれか一項に記載の方法。
【請求項８】
前記測定信号を発生するための検出部材と、
少なくとも一つの低域フィルタ又は帯域フィルタを有し、前記測定信号をフィルタリングして前記パルスを抽出するためのフィルタリング装置と、
前記フィルタリング装置によって抽出された前記パルスを計算するための計算装置と、
を備え、請求項１〜７に記載の方法の何れか一つを実行するための回路装置。
【請求項９】
前記検出部材が、抵抗器（Ｒ１）を備えることを特徴とする請求項８に記載の回路装置。
【請求項１０】
前記帯域フィルタが、
第一の遮断周波数を有する第一の低域フィルタ（Ｒ３／Ｃ１）と、
第二の遮断周波数を有する第二の低域フィルタ（Ｒ４／Ｃ２）と、
演算増幅器（Ａ）と
を含み、一方の前記低域フィルタが前記演算増幅器（Ａ）の反転入力に接続され、他方の前記低域フィルタが非反転入力に接続されていることを特徴とする請求項８又は９に記載の回路装置。
【請求項１１】
前記計算装置が、マイクロコントローラ（ＩＣ）を備えることを特徴とする請求項８〜１０の何れか一項に記載の回路装置。
【請求項１２】
前記マイクロコントローラ（ＩＣ）によって選択可能な汚れの程度を指示する指示装置（Ｄ）を含むことを特徴とする請求項１１に記載の回路装置。
【請求項１３】
前記マイクロコントローラ（ＩＣ）に接続された前記汚れの指示をリセットするためのリセット装置（Ｓ２）を含むことを特徴とする請求項１２記載の回路装置。
【請求項１４】
前記測定信号のしきい値を設定するための設定装置（Ｒ６）を含むことを特徴とする請求項８〜１３の何れか一項に記載の回路装置。
【発明の詳細な説明】
【０００１】
【発明の属する技術分野】
本発明は、電動式切断具によって切断される材料の量を決定する方法、及び本方法を実行する回路装置に関する。本発明の方法は、複数の個々の切断操作で材料を切断する切断具に対する使用に適し、特に、所定の操作時間が経過した後に機能が切断材料に悪影響を与える切断具を意図したものである。本方法は、例えば、電動式ひげ剃り、あごひげトリマ等の汚れの程度の測定及び指示に対して好ましい適用を見出した。
【０００２】
【従来の技術】
米国特許出願第５，１１１，５８０号明細書には、ひげ剃りの回数をひげ剃り装置の汚れの基準として数える方法が記載されている。更に、ひげ剃り装置を清浄にする必要性が、経過した操作時間の関数として示される方法は当業者に知られている。延びたひげの程度等や個々の使用者のひげ剃りの癖によって、所定時間或いは所定回数のひげ剃りが過ぎたときの、ひげ剃りヘッドに蓄積するひげ剃りの塵埃の量が異なることを考慮すると、清浄操作が必要な時点は、そのような方法では相対的に不正確に示されているであろう。
【０００３】
更に、日本の特開平０２−２４１４８０号明細書には、ライトバリアによってひげ剃りヘッド内の蓄積したひげ剃り塵埃の量を測定し、しきい値が過ぎた後に、清浄のための必要性の指示を提供する方法が記載されている。
【０００４】
独国特許出願公開１９６０６７１９号明細書には、汚れを、ひげ剃り装置のひげ剃りヘッドの少なくとも一つの可動式内部カッタ又は外部カッタによって発生されるノイズを測定することによって決定する方法が記載されている。この方法では、使用者は、適当なときに清浄の必要性を警告される。
【０００５】
汚れの程度が、上述の方法のどちらか一方で決定されるひげ剃り装置は、好適な測定装置をひげ剃りヘッド内に収容していることが必要である。これは必然的に汚れの指示がないひげ剃り装置と比較して設計努力をかなり増加させる。
【０００６】
【発明が解決しようとする課題】
故に、本発明の目的は、電動式切断具によって切断される材料の量を決定する方法を提供することであり、切断具の設計を妨げることなしで実行可能で、正確な精度で量を測定することができる。本発明は、電動式切断具の汚れの程度を決定及び指示する方法を提供することを特に目的とする。本発明は、本発明の方法を実行するための回路装置を提供することを更に目的とする。
【０００７】
【課題を解決しようとする手段】
本発明の方法は、電動式切断具の電力消費が、材料が切断されるときの切断具の負荷の変化によって引き起こされる変動を被りやすいという認識を基礎にしている。本発明によると、個々の切断操作に帰因する切断具の駆動モータによって消費された電力のこれらの変動が、切断材料の量の尺度として計算（evaluated）されて、使用される。
【０００８】
ひげ剃り装置においては、例えば、切断された毛がひげ剃りヘッドの内部に蓄積されて、最終的に装置の機能を損なう可能性があるので、時々清浄にする必要がある。故に、本発明の更なる見地によると、切断材料の量が所定の値に達すると清浄の必要性を使用者に指示する指示装置が作動される。
【０００９】
【発明の実施の形態】
本発明の実施形態を、ひげ剃り装置を参照して以下に説明する。しかし、本発明は、他の切断具、特に時々切断材料の残りを除去することが必要なタイプに有用な適用を見出すことも可能なことが理解されるであろう。
【００１０】
本発明の方法の第一ステップは、ひげ剃り装置の駆動モータによって消費される電流の変動を検出することを含む。即ち対応する測定信号を発生する。これは、例えば、モータ回路に接続された抵抗器検出部材によって達成され、電流変動に比例した電圧変動を検出する。電流変動は、誘電的な或いは他の構成部材によっても検出され得ることが認識されるべきである。
【００１１】
本発明の方法の第二のステップは、測定信号をフィルタリングすることを含む。このステップでは、検出した変動から、特定の周波数範囲外の周波数の全てがフィルタリングされる。これは、例えば低域フィルタによって実行されることができ、モータから発生した高い周波数の干渉パルスが除去される。更に、例えば、変動操作電圧によって引き起こされるモータ電流の低い周波数の変動を除去することが必要である。加えて、好ましくは、幅が予め決定できるしきい値を越える変動のみが考慮される。この態様において測定信号は、切断操作の特徴のパルスのみを生じる。
【００１２】
本発明の方法の第三のステップは、パルスの計算（evaluate）を行う。２つの最も簡単な場合は、パルス数又はパルスの全長の測定を実行することによって行われる。より正確な方法はパルスを積分する。
【００１３】
本発明の方法の第四のステップは、カウンタの読値を比較することを含む。累積長或いはパルスの積分領域は、切断材料の所定量に対応した基準値と比較される。この基準値が達するか或いは越えると、これが示される。この指示は、可視的、可聴的又はその他の当該技術分野で既知の手段を使用するであろう。
【００１４】
必要な場合は、中間ステップが挿入される。一例として、測定信号及び／又はパルスの増幅がある。
【００１５】
本発明の方法を実施するための回路装置を添付図面に示す。本回路装置は、一般的に電流の変動の計算に適し、故に切断具のみの利用に制限されない。更なる実施形態を以下の記載において説明する。
【００１６】
唯一の図に示すように、本発明の回路装置は、検出部材、フィルタ回路、計算回路（evaluation  circuit）及び指示装置を含む。
【００１７】
検出部材は、直流モータＭの回路に接続された測定抵抗器Ｒ１を備える。このモータは、スイッチＳ１でオンオフされることができ、２電池（two-cell）蓄電池ＡＣ１、ＡＣ２から電力が供給される。測定抵抗器は、３つの抵抗器Ｒ１、Ｒ２、Ｒ６を備える電圧ディバイダの一部分であり、これらの抵抗器には、蓄電池の電圧が供給される。この蓄電池は電力をフィルタ回路、計算回路及び指示装置に供給するように機能する。他の実施形態では一つの電池或いはパワーパックを電力源として使用することもある。
【００１８】
フィルタ回路は、第一の遮断周波数を有する第一の低域フィルタＲ３／Ｃ１と、第二の遮断周波数を有する第二の低域フィルタＲ４／Ｃ２と、演算増幅器Ａとを含む能動帯域フィルタを備える。第二の低域フィルタＲ４／Ｃ２は、電圧ディバイダの測定抵抗器Ｒ１と後続の抵抗器Ｒ２との間の接合部に接続されており、一方第一低域フィルタＲ３／Ｃ１は、電圧ディバイダの後続の抵抗器Ｒ２及び第三の抵抗器Ｒ６との接合部に接続されており、演算増幅器Ａの入力を反転する。演算増幅器Ａの出力は計算回路ＩＣに接続されており、抵抗器Ｒ５を介して蓄電池の正の端子に接続されている。
【００１９】
計算回路はマイクロコントローラＩＣを備え、そのマクロコントローラには指示装置Ｄが接続されている。この装置は、多くのセグメントを有しており、個々にマイクロコントローラＩＣによって選択されることができ、ひげ剃りヘッドの汚れの程度及び蓄電池の充電のレベルを示す。図に示した例として、充電は２０％の増加を示す。汚れの指示は、発光ダイオード、電気音響トランスデューサ等によって提供され得ることが無論理解されるであろう。マクロコントローラＩＣは、カウンタの読み、即ち汚れの指示がゼロにリセットされるように指示することができる装置に接続されている。この装置は、例えばひげ剃りヘッドに当該技術分野では既知の方法で配置されたスイッチＳ２であって、リセット機能は自動的にひげ剃りヘッドの除去と同時に実行されるであろう。
【００２０】
第一の低域フィルタＲ３／Ｃ１は、特に直流モータＭの交換機によって引き起こされた干渉信号を除去するように機能する。その遮断周波数は、第二の低域フィルタＲ４／Ｃ２の遮断周波数よりも高い。フィルタ回路の帯域特性は、一つの低域フィルタを演算増幅器Ａの反転入力に、一方を非反転入力に接続することから得られる。電圧ディバイダの抵抗器Ｒ６は、測定信号の増幅しきい値を、特定の最小振幅の信号のみがフィルタリングされて計算されるように設定する。
【００２１】
本発明の回路装置の他の実施形態においては、フィフタ回路がマイクロコントローラに組み込まれる。
【００２２】
コンデンサが、演算増幅器Ａの入力の間に接続されてもよく、高周波数干渉信号が除去される。
【図面の簡単な説明】
【図１】本発明の回路装置を示した図である。
【符号の説明】
Ｒ１、Ｒ２、Ｒ３、Ｒ４、Ｒ５、Ｒ６…抵抗器、Ｓ１、Ｓ２…スイッチ、ＡＣ１、ＡＣ２…蓄電池、Ｍ…モータ。
【図１】
0004141546.tif 000002